(57)【要約】【課題】挿し木による発根率を高めることにより、抵抗性品種のマツ属植物を容易且つ低コストで増殖することのできるマツ属植物の増殖方法を提供すること【解決手段】  ある種の抵抗特性に優れたマツ属植物の種子を用いて複数の実生苗を育成し、これら実生苗に対して前記抵抗特性の有無についての検査を行って、前記抵抗特性を富に受け継いだ実生苗を選別する。続いて、選別した実生苗の枝を剪定して萌芽を発生させ、この萌芽を挿し穂として挿し木を行い複数の挿し木苗を育成し、この挿し木苗を用いて造林を行う構成とする。この場合、高い発根率を得ることが可能となり、これにより抵抗性品種のマツ属植物を容易且つ低コストで増殖することができる。【選択図】図２
2007259736.tif 000002
【特許請求の範囲】
【請求項１】
抵抗性品種のマツ属植物を挿し木により増殖する方法であって、
ある種の抵抗特性に優れたマツ属植物の種子を用いて複数の実生苗を育成する工程と、
前記実生苗に対して前記抵抗特性の有無についての検査を行って、前記抵抗特性を富に受け継いだ実生苗を選別する工程と、
前記選別された実生苗の幹及び／又は枝を剪定し、複数の萌芽を発生させる工程と、
前記萌芽を挿し穂として挿し木を行い、複数の挿し木苗を育成する工程と、
前記挿し木苗を用いて造林を行う工程と、を含むことを特徴とするマツ属植物の増殖方法。
【請求項２】
前記マツ属植物は、クロマツであることを特徴とする請求項１記載のマツ属植物の増殖方法。
【請求項３】
前記実生苗の幹及び／又は枝の剪定は、当該実生苗が若齢木であるうちに行われることを特徴とする請求項１記載のマツ属植物の増殖方法。
【請求項４】
前記若齢木とは、１０年生以下のものであることを特徴とする請求項３記載のマツ属植物の増殖方法。
【請求項５】
前記抵抗特性は、マツノザイセンチュウに対する抵抗特性であることを特徴とする請求項１記載のマツ属植物の増殖方法。
【請求項６】
前記親木の抵抗特性を富に受け継いだ実生苗を選別する工程は、前記実生苗にマツノザイセンチュウを人工接種し、枯れるか否かを検定する工程を含むことを特徴とする請求項５記載のマツ属植物の増殖方法。
【発明の詳細な説明】
【技術分野】
【０００１】
本発明は、マツ属植物の増殖方法に関し、特に、抵抗性品種のマツ属植物を挿し木により増殖する方法に関する。
【背景技術】
【０００２】
従来より、マツ属植物の一つであるクロマツは、防潮林、飛砂防止、海岸防風、水源涵養など海岸の環境保全にとって代替できない重要な樹種となっている。環境保全のみならず、クロマツは白砂青松など日本人の精神生活との関わりも深い。
【０００３】
ところで、昭和４０年代後半以降の西日本各地で端を発し、いまや東北地方にまで拡大しているマツ材線虫病によるマツ枯れ被害が問題となっている。マツ材線虫病の代表的なものは、マツノザイセンチュウと呼ばれる線虫であり、マツノマダラカミキリの成虫を宿主としてマツに潜入し、広範囲に亘るマツ枯れ被害を発生させる。
【０００４】
このため、マツノザイセンチュウに対する抵抗特性に優れた品種を開発することが要望されており、従来においても幾つかの手法が提案されている。
【０００５】
その一つに、抵抗性個体を選抜する手法がある。この手法の概略について図１を参照しながら述べておくと、まず、図１（ａ）に示すように、実際にマツノザイセンチュウの被害にあった場所に赴き、生き残っているマツの中から抵抗特性に優れていると推測されるマツを抵抗性候補木として選定する。
【０００６】
次に、図１（ｂ）に示すように、選定した候補木から枝または種を採り、接ぎ木等によって苗木を増殖させる。続いて、これら苗木に対してマツノザイセンチュウを２回に亘って人工接種し、抵抗性１次・２次接種検定を行う。この検定において、生存率や健全率から抵抗特性の優劣を判定し、一定の水準に達したものを合格木（原種）とする。人工接種は、接ぎ木苗等の幹の一部に傷を付け、該当部位からマツノザイゼンチュウを人工的に注入することにより行う。
【０００７】
続いて、図１（ｃ）に示すように、前記原種を接ぎ木によって増殖し、採種用の苗木として育成することにより抵抗性採種園を造成する。そして採種園が造成されると、例えば自然交配された種子を採種し、養苗を行うことにより、マツノザイセンチュウに対する抵抗特性に優れた抵抗性苗木を得る。こうして得た抵抗性苗木を、図１（ｄ）に示すように、造林予定地に植林することにより、抵抗性マツ林を形成することができる。
【０００８】
しかしながら、上記手法には次のような問題があった。すなわち、接ぎ木や挿し木により増殖されたクローン苗木の場合は親木の抵抗特性をそのまま有しているが、種子から育成された苗木の場合には、親木の抵抗特性を受け継がないものが含まれることがあり、また抵抗特性を受け継いでいても、親木ほど抵抗特性を有していない場合がある。従って、上記手法で造林されたマツの中には、実際には抵抗特性に劣り、簡単に枯れてしまうものが含まれる可能性がある。
【０００９】
よって、より確実に抵抗特性を有する抵抗性苗木を育成するには、前記の種子から育成された苗木に人工接種を行い、抵抗性特性を受け継ぐものを選定している。しかし、人工接種は、１本づつ手作業で行っているため多大な労力を必要とし、さらに人工接種による判定で半数近くの苗が枯れてしまうことと相まって、抵抗性苗木の価格が高騰し、普通の苗木の１０倍以上の価格となる場合もある。
【００１０】
そこで、本当ならば挿し木を行って造林用の抵抗性苗木を増殖するのが好ましい。ところが、クロマツに限らずマツ属植物は一般的に挿し木の発根率が低く、３０％を下回ると言われている。そのため、抵抗性に優れた原種あるいそのクローン苗木が得られても、この原種あるいそのクローン苗木を造林に至るまで増殖させるのは難しいという問題がある。
【発明の開示】
【発明が解決しようとする課題】
【００１１】
本発明は、このような事情に基づいてなされたものであり、その目的は、挿し木による発根率を高めることにより、抵抗性品種のマツ属植物を容易且つ低コストで増殖することのできるマツ属植物の増殖方法を提供することにある。
【課題を解決するための手段】
【００１２】
本発明のマツ属植物の増殖方法は、抵抗性品種のマツ属植物を挿し木により増殖する方法であって、ある種の抵抗特性に優れたマツ属植物の種子を用いて複数の実生苗を育成する工程と、前記実生苗に対して前記抵抗特性に関する検定を行って、前記抵抗特性を富に受け継いだ実生苗を選別する工程と、前記選別された実生苗の幹及び／又は枝を剪定し、複数の萌芽を発生させる工程と、前記萌芽を挿し穂として挿し木を行い、複数の挿し木苗を育成する工程と、前記挿し木苗を用いて造林を行う工程と、を含むことを特徴とする。
【００１３】
前記マツ属植物として、クロマツを適用することが可能である。
【００１４】
また、前記実生苗の幹及び／又は枝の剪定は、当該実生苗が若齢木であるうちに行うようにすることができる。前記若齢木とは、例えば、１０年生以下のものである。
【００１５】
さらにまた、前記抵抗特性は、例えばマツノザイセンチュウに対する抵抗特性であり、この場合、前記親木の抵抗特性を富に受け継いだ実生苗を選別する工程は、例えば前記実生苗にマツノザイセンチュウを人工接種し、枯れるか否かを検定する工程を含むようにする。
【発明の効果】
【００１６】
本発明のマツ属植物の増殖方法によれば、親木の抵抗特性を富に受け継いだ実生苗の幹及び／又は枝を剪定して複数の萌芽を発生させ、これら萌芽を挿し穂として挿し木を行うことにより、高い発根率を得ることが可能となり、これにより抵抗性品種のマツ属植物を容易且つ低コストで増殖することができる。特に、若齢木のうちに剪定を行って萌芽を発生させるようにすると、より確実に高い発根率を得ることが可能になる。
【発明を実施するための最良の形態】
【００１７】
本発明に係るマツ属植物の増殖方法の実施形態について、以下に詳しく説明する。なお、図２は、本実施形態の全体流れを概略的に示す図である。
【００１８】
先ず、実際にマツノザイセンチュウの被害にあった場所に赴き、被害地域に生息するクロマツの中から、枯れずに生き残っているクロマツを抵抗性候補木（親木）として幾本か選定する。この場合、被害が激しかった地域を優先して選定するのが好ましい。何故なら、より抵抗性に優れている親木を得る可能性が高くなるからである。さらには、最終的に造林を予定とする地域別に親木を選定するのが好ましい。具体的には、九州地方に造林を予定している場合には、九州地方で発生した被害地に赴いて親木を選定するようにする。このように、造林予定地に応じて親木を選定することにより、最終的にその気候特性に適応する抵抗性苗木を得ることが可能となる。
【００１９】
続いて、選定した候補木から枝を採り、接ぎ木によって苗木を増殖させる。接ぎ木の具体的な手法としては、まず長さが２０〜３０ｃｍ程度の荒穂を採取し、この荒穂を用いて長さが５ｃｍ程度の接ぎ穂を作成し、その基端部がくさび形となるように鋭利な刃物で切る。そして、別に育苗していた台木の幹を切断し、切断面を縦に割る。そしてさらに、台木の切断面に形成した割り口に接ぎ穂を挿入し、接ぎ穂が動かないように目玉クリップ等の固定手段を用いて接ぎ穂を台木に固定する。なお、接ぎ穂を割り口に挿入する際には、接ぎ穂と台木の形成層が接するようにする。こうして接ぎ木を形成した後は、接ぎ穂が乾燥するのを防止しながら養苗する。
【００２０】
続いて、これら苗木に対してマツノザイセンチュウを２回に亘って人工接種し、抵抗性１次・２次接種検定を行う。この検定において、生存率や健全率から抵抗特性の優劣を判定し、一定の水準に達したものを合格木（説明の便宜上、第１の原種と呼ぶ）とする。人工接種は、実生苗の幹の一部に傷を付け、該当部位からマツノザイゼンチュウを人工的に注入することにより行う。
【００２１】
そして、この第１の原種を接ぎ木によって増殖し、採種用の苗木として育成することにより抵抗性採種園を造成する。そして採種園が造成されると、図２（ａ）に示すように、例えば自然交配された種子を採取する。続いて、図２（ｂ）に示すように、採種した種子を用いて養苗を行うことによって複数の実生苗を育成する。実生苗の育成方法は、従来より公知の方法を採用することが可能である。具体的な一例を挙げておくと、畑に種子を播種し、適宜潅水を行って実生苗を育成する。
【００２２】
続いて、前記実生苗の中から抵抗特性に劣るものを除去するために、図２（ｃ）に示すように、マツノザイゼンチュウの人工接種による判定を行う。具体的には、例えば発芽から１５ヶ月が経過すると、図３に模式的に示すように、実生苗１の幹の一部に傷１０を付け、該当部位からマツノザイゼンチュウ２を人工的に接種する。マツノザイゼンチュウは、苗木１本あたり１万頭を注入する。その後、例えば接種を行ってから１２週間が経過した後に健全なものを合格木（説明の便宜上、第２の原種と呼ぶ）とする。このようにして抵抗特性の有無についての検査が行われる。そしてこれまで説明した工程を介することにより、結果として親木の抵抗特性を富に受け継いでいるものを選定することとなる。
【００２３】
続いて、図２（ｄ）に示すように、第２の原種が若齢木であるうちに苗木の幹や枝を剪定することによって、切り口の近傍にて休眠していた多数の萌芽（萌芽枝）を発生させる。具体的には、図４（ａ）に模式的に示すように、若齢木３の先端の部位３０を剪定すると、二葉松であるクロマツの場合には、図４（ｂ）に模式的に示すように、針葉と針葉との間から萌芽４が発生する。
【００２４】
そして、発生した萌芽がある程度成長すると、続いて、図２（ｅ）に示すように、前記萌芽を採取し、採取した萌芽を挿し穂として挿し木を行う。具体的には、図４（ｃ）に模式的に示すように、例えば５ｃｍ程度の長さとなるように萌芽枝４０をハサミで切って挿し穂として採取した後、針葉を全体数の半分程度となるように取り除くと共に、その切り口を鋭利な刃物で斜めに切る。そして、例えば濃度が０．５重量％程度に調製されたインドール酢酸などのオーキシンに挿し穂の切り口（土に埋める側の端部）を浸すことによって薬液処理を行う。このように処理した挿し穂を、例えば温度および湿度を調整可能なハウス内において、鹿沼土に挿し付け、適宜潅水を行って挿し木苗（説明の便宜上、抵抗性苗木と呼ぶ）を育成する。なお、前記若齢木とは、限定されることはないが、約１０年生までの苗木を意味し、それ以上は成木とここでは呼ぶ。
【００２５】
ここで、図５は、前述した剪定から萌芽発生までの様子を撮影したものである。図５（ａ）は、若齢木の幹や枝を剪定した後の様子を示し、図５（ｂ）は、萌芽（萌芽枝）が発生した様子を示している。さらに、図５（ｃ）は、発生した萌芽がある程度成長した様子を示しており、図５（ｄ）は、比較として剪定を行わなかった苗木の様子を示している。
【００２６】
そして、前記抵抗性苗木（挿し木苗）がある程度育成されると、図２（ｆ）に示すように、これら苗木を予定とする場所、例えば海岸等に環境保全用として造林する。そしてこれにより、抵抗性に優れたクロマツの造林が実現される。
【００２７】
上述の実施形態によれば、親木の抵抗特性を富に受け継いだ実生苗（第２の原種）の幹や枝を剪定して複数の萌芽を発生させ、これら萌芽を挿し穂として挿し木を行うことにより、高い発根率を得ることが可能となる。これにより、人工接種による判定の結果、第２の原種の数が少なくなったとしても、その原種を大量に増殖させることが可能である。即ち、抵抗性品種のマツ属植物を容易且つ低コストで増殖することができる。
【００２８】
特に、若齢木のうちに剪定を行って萌芽を発生させるようにすると、より確実に高い発根率を得ることが可能になる。即ち、挿し穂の発根率は、挿し穂を採取した木の年齢に依存しており、より若いものから採種した方が発根率は高くなる。そしてさらに、同じ若齢木であったとしても、栄養枝と萌芽枝とを比較すると、いわゆる若返りが起きた萌芽枝の方がより若い状態となる。このため、本実施形態によれば、若齢木の萌芽を挿し穂として用いることにより、従来の発根率に比して格段に高い発根率を得ることを可能にしたのである。
【００２９】
本実施形態による発根率を確認するために、発明者らは、成木栄養枝、若齢木栄養枝及び若齢木萌芽枝を挿し穂に用いた場合の発根率を実際に試験を行って調査した。その結果、図６に示すように、若齢木萌芽枝の発根率は７０％であったのに対し、若齢木栄養枝の発根率は２７％、成木栄養枝にあっては３％であったことを確認している。即ち、いわゆる接種済み苗の対象となる２年生苗において，栄養枝を用いた場合，さし穂採取数は平均３本，発根率は２７％であるが，萌芽枝であれば２０本以上を採取することができる。従って、萌芽を用いることによって挿し木増殖率を１４倍向上することができる。
【００３０】
ここで、既述したようにクロマツの挿し木の発根率は一般的に低いことが問題である。従って、造林用の抵抗性苗木生産はもっぱら実生により行われている。しかしながら、「背景技術」の欄で述べたとおり、人工接種による判定でその半数近くの苗木が枯れてしまうのが実情であり、抵抗性苗木の価格を高騰させている。
【００３１】
抵抗性苗木の価格を抑えるためには、人工接種による判定を省略して低コスト化を図ることも考えられるが、既述の通り、種子から育成された実生苗の中には、親木の抵抗特性を受け継がないものが含まれる場合があり、また抵抗特性を受け継いでいても、親木ほど抵抗特性を有していない場合がある。従って、確実に抵抗特性に優れたものを選定するためには人工接種による判定（図２（ｃ））が必要である。
【００３２】
そこで、本発明は、若齢木の萌芽を挿し穂として用いることにより、高い発根率を実現したので、抵抗性品種の採種園産由来の実生苗木にマツノザイセンチュウを接種して抵抗性を確かめ、たとえ判定で原種（第２の原種）の数が少なくなっても、判定で生き残った抵抗性特性に優れた当該原種を大量に増殖して、抵抗性品種のクロマツを容易且つ低コストで得ることが可能となるのである。
【００３３】
本発明においては、クロマツに限定されることはなく、例えばアカマツの他、マツ属植物全般に対し適応することができる。
【００３４】
さらに本発明においては、マツノザイゼンチュウに対する抵抗特性を対象とすることに限られず、幼齢期に評価できるものについては全の病虫害抵抗性品種に適用することが可能である。即ち、ＭＡＳ（Marker Aided Selection）が可能になれば，本発明の適用範囲はより広がる。
【００３５】
なお、本発明においては、上述の手法により抵抗性苗木が得られると、その苗木が若齢木である間は剪定により萌芽を発生させることが可能であるので、この若齢木が成木になるまでの間は、新たに採取園産由来の実生苗の接種判定を行うことなく抵抗性種苗を生産するようにしてもよい。これにより，社会的要求の高いクロマツのマツ材線虫病抵抗性種苗をより低いコストで生産することが可能になる。
【００３６】
また、本発明においては、既述したように実際に被害地に赴いて抵抗性候補木（親木）を選定しなくとも、例えば本発明を通じて造林した抵抗性マツを親木にするなど、予め抵抗特性を有していることが確認されている親木から採種した種子を用いて実生苗（図２（ｂ））を育苗してもよいことは言うまでもない。
【００３７】
さらには、所望の抵抗特性となるように、例えば２つの異なる抵抗特性を有する親木を用いて人工交配により種子を取得することも可能である。即ち、２つの異なる抵抗特性が組み合わさった種子を取得することが可能となる。
【図面の簡単な説明】
【００３８】
【図１】従来におけるマツの増殖方法の流れを示す図である。
【図２】本発明の実施形態に従うマツ属植物の増殖方法の流れを示す図である。
【図３】マツノザイゼンチュウを人工接種する様子を示す図である。
【図４】実生苗木の幹や枝を剪定することにより発生する萌芽の様子を示す図である。
【図５】実生苗の幹や枝の剪定から萌芽が発生するまでの様子を示す図である。
【図６】挿し穂に、成木栄養枝、若齢木栄養枝、若齢木萌芽枝を用いた場合の発根率を示すグラフである。
【符号の説明】
【００３９】
１    実生苗
２    マツノザイゼンチュウ
３    若齢木
４    萌芽
【図１】
2007259736.tif 000003
【図２】
2007259736.tif 000004
【図３】
2007259736.tif 000005
【図４】
2007259736.tif 000006
【図５】
2007259736.tif 000007
【図６】
2007259736.tif 000008